(57)【要約】【課題】予め決められた向きにバネ部材を装着可能な光ピックアップ装置を比較的低コストで提供する。【解決手段】レーザダイオードから出射されたレーザ光を光ディスクの信号記録面に案内する光学部品と、螺子溝を有するリードスクリュと、前記リードスクリュの方向へ突出する突出片を有し、前記光学部品を保持するホルダと、一端側の片が前記螺子溝に弾性付勢され、他端側の片が前記突出片の突出方向が深さ方向となっている位置決め溝の第１深さ位置まで挿入され、前記突出片に巻回されて装着され、前記リードスクリュの回転に応じて、前記光学部品を通過する前記レーザ光の光軸方向に沿って前記ホルダを移動させるバネ部材と、前記他端側の片が前記位置決め溝の前記第１深さ位置まで挿入可能な第１状態とは異なる第２状態で前記突出片に対向すると、前記他端側の片が前記位置決め溝の前記第１深さ位置まで挿入されることを防止する防止部材と、を備える。【選択図】図１５
2014089791.tif 000002
【特許請求の範囲】
【請求項１】
レーザダイオードから出射されたレーザ光を光ディスクの信号記録面に案内する光学部品と、
螺子溝を有するリードスクリュと、
前記リードスクリュの方向へ突出する突出片を有し、前記光学部品を保持するホルダと、
一端側の片が前記螺子溝に弾性付勢され、他端側の片が前記突出片の突出方向が深さ方向となっている位置決め溝の第１深さ位置まで挿入され、前記突出片に巻回されて装着され、前記リードスクリュの回転に応じて、前記光学部品を通過する前記レーザ光の光軸方向に沿って前記ホルダを移動させるバネ部材と、
前記他端側の片が前記位置決め溝の前記第１深さ位置まで挿入可能な第１状態とは異なる第２状態で前記突出片に対向すると、前記他端側の片が前記位置決め溝の前記第１深さ位置まで挿入されることを防止する防止部材と、
を備えたことを特徴とする光ピックアップ装置。
【請求項２】
前記防止部材は、
前記他端側の片が前記第２状態で前記突出片に対向すると、前記他端側の片が前記第１深さ位置よりも浅い第２深さ位置で当接するように、前記位置決め溝の内部に形成される突起である
ことを特徴とする請求項１に記載の光ピックアップ装置。
【請求項３】
前記他端側の片は、
前記他端側の片が前記第１状態で前記突出片に対向すると、前記位置決め溝の前記第１深さ位置まで挿入され、前記他端側の片が前記第２状態で前記突出片に対向すると、前記位置決め溝の前記第２深さ位置までしか挿入されない長さを有する
ことを特徴とする請求項２に記載の光ピックアップ装置。
【請求項４】
前記一端側の片は、前記リードスクリュの長手方向に対して前記螺子溝に沿うように傾斜している
ことを特徴とする請求項１乃至３の何れかに記載の光ピックアップ装置。
【請求項５】
前記突出片は、
前記他端側の片が前記位置決め溝の前記第１深さ位置まで挿入されたとき、前記バネ部材が前記突出片に固定されるように、前記バネ部材の巻回部分に引っ掛かる爪を有する
ことを特徴とする請求項１乃至４の何れかに記載の光ピックアップ装置。
【請求項６】
前記光学部品は、コリメートレンズである
ことを特徴とする請求項１乃至５の何れかに記載に光ピックアップ装置。
【発明の詳細な説明】
【技術分野】
【０００１】
本発明は、光ピックアップ装置に関する。
【背景技術】
【０００２】
例えば、コリメートレンズと、当該コリメートレンズを保持するレンズホルダと、当該レンズホルダを移動させる移動装置とを含んで構成される光ピックアップ装置が知られている（特許文献１）。
【先行技術文献】
【特許文献】
【０００３】
【特許文献１】特開２０１１−１３４３６２号公報
【発明の概要】
【発明が解決しようとする課題】
【０００４】
特許文献１の光ピックアップ装置に含まれている移動装置は、例えば、リードスクリュの回転力をレンズホルダが移動する方向の力に変換するナット部材と、当該ナット部材で変換された力がレンズホルダに伝達されるようにナット部材をレンズホルダに付勢するためのバネとを有している。この光ピックアップ装置では、例えば、ナット部材、バネ等の部品点数の増大により、光ピックアップ装置の組み立てが煩雑となり、光ピックアップ装置の製造コストが増大する虞がある。
【課題を解決するための手段】
【０００５】
前述した課題を解決する主たる本発明は、レーザダイオードから出射されたレーザ光を光ディスクの信号記録面に案内する光学部品と、螺子溝を有するリードスクリュと、前記リードスクリュの方向へ突出する突出片を有し、前記光学部品を保持するホルダと、一端側の片が前記螺子溝に弾性付勢され、他端側の片が前記突出片の突出方向が深さ方向となっている位置決め溝の第１深さ位置まで挿入され、前記突出片に巻回されて装着され、前記リードスクリュの回転に応じて、前記光学部品を通過する前記レーザ光の光軸方向に沿って前記ホルダを移動させるバネ部材と、前記他端側の片が前記位置決め溝の前記第１深さ位置まで挿入可能な第１状態とは異なる第２状態で前記突出片に対向すると、前記他端側の片が前記位置決め溝の前記第１深さ位置まで挿入されることを防止する防止部材と、を備えたことを特徴とする光ピックアップ装置である。
【０００６】
本発明の他の特徴については、添付図面及び本明細書の記載により明らかとなる。
【発明の効果】
【０００７】
本発明によれば、予め決められた向きにバネ部材を装着可能な光ピックアップ装置を比較的低コストで提供することができる。
【図面の簡単な説明】
【０００８】
【図１】本発明の実施形態に係る光ピックアップ装置の光学系の構成を示す図である。
【図２】本発明の実施形態に係る光ピックアップ装置の光学系の一部の構成を示す図である。
【図３】本発明の実施形態における光ピックアップ装置を示す斜視図である。
【図４】本発明の実施形態における光ピックアップ装置の一部を示す断面図である。
【図５】本発明の実施形態における移動装置とコリメートレンズホルダとを示す斜視図である。
【図６】本発明の実施形態における移動装置とコリメートレンズホルダを示す平面図である。
【図７】本発明の実施形態における１／４波長板が取り付けられている側から見た状態のコリメートレンズホルダとスプリングとを示す分解斜視図である。
【図８】本発明の実施形態におけるコリメートレンズが取り付けられている側から見た状態のコリメートレンズホルダとスプリングとを示す分解斜視図である。
【図９】本発明の実施形態におけるスプリングとスプリング保持部材とを示す正面図である。
【図１０】本発明の実施形態における、光ディスクと対向する側とは反対側から見た状態のコリメートレンズホルダ示す斜視図である。
【図１１】本発明の実施形態における、光ディスクと対向する側から見た状態のコリメートレンズホルダを示す斜視図である。
【図１２】本発明の実施形態におけるコリメートレンズホルダを示す断面図である。
【図１３】本発明の実施形態におけるスプリングが装着された状態のコリメートレンズホルダを示す断面図である。
【図１４】本発明の実施形態におけるコリメートレンズホルダとスプリングとを示す分解斜視図である。
【図１５】本発明の実施形態におけるスプリングとコリメートレンズホルダとを示す断面図である。
【図１６】本発明の実施形態における移動装置の一部とコリメートレンズホルダの一部とを示す平面図である。
【図１７】本発明の実施形態におけるリードスクリュとスプリングとを示す平面図である。
【図１８】本発明の実施形態におけるスプリングが装着された状態のコリメートレンズホルダを示す斜視図である。
【図１９】本発明の実施形態におけるリードスクリュの一部とスプリングの一部とを示す平面図である。
【発明を実施するための形態】
【０００９】
本明細書および添付図面の記載により、少なくとも以下の事項が明らかとなる。
【００１０】
＝＝＝光ピックアップ装置の光学系＝＝＝
図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、例えばＢＤ（Ｂｌｕ―ｒａｙ  Ｄｉｓｃ）規格の光ディスク（以下、「第１光ディスク５Ａ」と称する）、ＤＶＤ（Ｄｉｇｉｔａｌ  Ｖｅｒｓａｔｉｌｅ  Ｄｉｓｃ）規格の光ディスク（以下、「第２光ディスク５Ｂ」と称する）、ＣＤ（Ｃｏｍｐａｃｔ  Ｄｉｓｃ）規格の光ディスク（以下、「第３光ディスク５Ｃ」と称する）等である。
【００１２】
光ピックアップ装置１００の光学系は、レーザ光源１１（レーザダイオード）、回折格子１２、第１反射ミラー１３１、ビームスプリッタ１４（プレート型ビームスプリッタ）、第２反射ミラー１３２、１／４波長板１５、コリメートレンズ１６（光学部品）、第３反射ミラー１３３、立ち上げミラー１７、対物レンズ１７１（図２）、ホログラム光学素子１８１、アナモフィックレンズ１８２、光検出器１８３（以下、「光ピックアップ装置１００の光学部品等」とも称する）から構成される。
【００１３】
レーザ光源１１は、第１光ディスク５Ａに照射する青色波長帯（３９５ｎｍ〜４２０ｎｍ）のうち例えば４０５ｎｍの波長と、第２光ディスク５Ｂに照射する赤色波長帯（６４５ｎｍ〜６７５ｎｍ）のうち例えば６５５ｎｍの波長と、第３光ディスク５Ｃに照射する赤外波長帯（７６５ｎｍ〜８０５ｎｍ）のうち例えば７８５ｎｍの波長とのうち、何れかの波長のレーザ光を選択的に出射する。レーザ光源１１は、例えば４０５ｎｍの波長のレーザ光を出射する第１レーザダイオード１１１と、例えば６５５ｎｍの波長のレーザ光を出射する第２レーザダイオード１１２と、例えば７８５ｎｍの波長のレーザ光を出射する第３レーザダイオード１１３とを有する。
【００１４】
回折格子１２は、レーザ光源１１が出射したレーザ光から、０次光、＋１次回折光、−１次回折光を生成する。
【００１５】
第１反射ミラー１３１は、回折格子１２からのレーザ光をビームスプリッタ１４へ反射する。
【００１６】
ビームスプリッタ１４は、例えば、Ｓ偏光のレーザ光を透過し、Ｐ偏光のレーザ光を反射する。ビームスプリッタ１４は、回折格子１２から入射するＰ偏光のレーザ光を第２反射ミラー１３２へ反射する。尚、第１レーザダイオード１１１、第２レーザダイオード１１２、第３レーザダイオード１１３は、レーザ光として例えばビームスプリッタ１４のコーティング膜に対してＰ偏光のレーザ光を出射するものとする。又、１／４波長板１５から第２反射ミラー１３２を介して入射するレーザ光の反射光は、例えば、第１光ディスク５Ａ、第２光ディスク５Ｂ又は第３光ディスク５Ｃで反射してＳ偏光のレーザ光となっている。よって、ビームスプリッタ１４は、レーザ光の反射光をホログラム光学素子１８１の方向へ透過する。
【００１７】
第２反射ミラー１３２は、ビームスプリッタ１４からのレーザ光を１／４波長板１５へ反射する。
【００１８】
１／４波長板１５は、第２反射ミラー１３２から入射するレーザ光を、直線偏光光から円偏光光に変換する。又、１／４波長板１５は、コリメートレンズ１６から入射するレーザ光の反射光を、円偏光光から直線偏光光に変換する。
【００１９】
コリメートレンズ１６は、１／４波長板１５から入射するレーザ光を平行光に変換する。つまり、コリメートレンズ１６は、レーザ光源１１から出射されたレーザ光を第１光ディスク５Ａの信号記録面、第２光ディスク５Ｂの信号記録面又は第３光ディスク５Ｃの信号記録面に案内している。
【００２０】
第３反射ミラー１３３は、コリメートレンズ１６からのレーザ光を立ち上げミラー１７へ反射する。
【００２１】
立ち上げミラー１７は、コリメートレンズ１６から第３反射ミラー１３３を介して入射するレーザ光を、第１光ディスク５Ａ、第２光ディスク５Ｂ又は第３光ディスク５Ｃの信号記録面に垂直な方向に反射する。又、立ち上げミラー１７は、対物レンズ１７１から入射するレーザ光の反射光を、第３反射ミラー１３３の方向に反射する。
【００２２】
対物レンズ１７１は、立ち上げミラー１７から入射したレーザ光を、第１光ディスク５Ａ、第２光ディスク５Ｂ又は第３光ディスク５Ｃの信号記録面における信号記録層に集光する。
【００２３】
第１光ディスク５Ａ、第２光ディスク５Ｂ又は第３光ディスク５Ｃの信号記録層で反射したレーザ光の反射光は、対物レンズ１７１によって平行光に変換された後、立ち上げミラー１７、第３反射ミラー１３３、コリメートレンズ１６を介して１／４波長板１５に入射し、１／４波長板１５によって円偏光光から直線偏光光に変換される。直線偏光光となったレーザ光の反射光は、第２反射ミラー１３２及びビームスプリッタ１４を介してホログラム光学素子１８１に入射する。
【００２４】
ホログラム光学素子１８１は、例えば、第１光ディスク５Ａ又は第２光ディスク５Ｂにおけるレーザ光が集光された信号記録層以外の信号記録層からの反射光が光検出器１８３に入射しないように、レーザ光の反射光の光路を調整する。
【００２５】
アナモフィックレンズ１８２は、ホログラム光学素子１８１から入射したレーザ光の反射光を、光検出器１８３に集光させるとともに、レーザ光の反射光にフォーカスエラー信号を生成するのに用いられる非点収差を発生させる。尚、フォーカスエラー信号とは、例えば、対物レンズ１７１を保持する対物レンズホルダ（不図示）を対物レンズ１７１の光軸方向（図３のＺ軸）に変位させる際に用いられる信号である。
【００２６】
光検出器１８３は、アナモフィックレンズ１８２から入射されるレーザ光の反射光を光電変換する。つまり、光検出器１８３は、第１光ディスク５Ａ、第２光ディスク５Ｂ又は第３光ディスク５Ｃで反射されたレーザ光の反射光が照射され、当該照射されたレーザ光の反射光を光電変換する。
【００２７】
＝＝＝光ピックアップ装置＝＝＝
以下、図３を参照して、本実施形態における光ピックアップ装置について説明する。図３は、本実施形態における光ピックアップ装置を示す斜視図である。尚、光ディスク５を回転させるためのスピンドルモータ（不図示）の回転軸５０は、説明の便宜上、一点鎖線で示されている。又、光ディスク５は、説明の便宜上、一部が省略されている。更に、光ディスク５の一部は見えない状態となっているが、説明の便宜上、点線で示されている。
【００２８】
光ピックアップ装置１００は、ハウジング２、光ピックアップ装置１００の光学部品等、コリメートレンズホルダ７（ホルダ）、移動装置８を有する。尚、本実施形態において、Ｚ軸は、光ディスク５を回転させるスピンドルモータの回転軸５０の長手方向（フォーカス方向、垂直方向）に沿う軸であり、光ピックアップ装置１００から光ディスク５へ向かう方向を−Ｚ方向とし、光ディスク５から光ピックアップ装置１００へ向かう方向を＋Ｚ方向とする。尚、第１光ディスク５Ａ、第２光ディスク５Ｂ、第３光ディスク５Ｃのうち、スピンドルモータによって回転される光ディスクを、説明の便宜上、光ディスク５と称する。Ｘ軸は、光ディスク５の径方向（トラッキング方向、ラジアル方向）に光ピックアップ装置１００が移動する方向に沿う軸であり、光ピックアップ装置１００が回転軸５０から離れる方向を−Ｘ方向とし、光ピックアップ装置１００が回転軸５０に近づく方向を＋Ｘ方向とする。Ｙ軸は、光ディスク５のタンジェンシャル方向に沿う軸であり、ハウジング２の一方の側面２３から他方の側面２４に向かう方向を＋Ｙ方向とし、ハウジング２の他方の側面２４から一方の側面２３に向かう方向を−Ｙ方向とする。
【００２９】
コリメートレンズホルダ７は、コリメートレンズ１６を保持する。尚、コリメートレンズホルダ７については後述する。
【００３０】
移動装置８は、コリメートレンズ１６を通過するレーザ光の光軸方向（Ｘ軸）（以下、「コリメートレンズ１６の光軸方向」とも称する）に沿ってコリメートレンズホルダ７を移動させる装置である。尚、移動装置８については後述する。
【００３１】
ハウジング２には、光ピックアップ装置１００の光学部品等、コリメートレンズホルダ７、移動装置８、メインシャフト７１、サブシャフト７２等が載置される。尚、ハウジング２については後述する。
【００３２】
＝＝＝ハウジング＝＝＝
以下、図３を参照して、本実施形態におけるハウジングについて説明する。
【００３３】
ハウジング２は、光ピックアップ装置１００の光学部品等、コリメートレンズホルダ７、移動装置８、メインシャフト７１、サブシャフト７２等が載置される例えば樹脂製のハウジングである。
【００３４】
ハウジング２における、トラッキング方向における回転軸５０に近い側（＋Ｘ）の端部（以下、「湾曲部」とも称する）２２は、例えば、スピンドルモータ（不図示）を回避するように所定の曲率をもって抉られた形状を呈する。
【００３５】
ハウジング２における、光ディスク５側（−Ｚ）とは反対側（＋Ｚ）には、コリメートレンズホルダ７及び移動装置８を取り付けるための取付凹部（以下、「凹部」とも称する）２５が設けられている。
【００３６】
前記所定の曲率を持った湾曲部２２も含め、ハウジング２には側壁が設けられて、ハウジング２は、実質箱型をなす。そして、ハウジング２の内側には、側壁の内側に区画壁や、底面などが設けられて、凹部２５が形成されている。
【００３７】
＝＝＝取付凹部＝＝＝
以下、図３及び図４を参照して、本実施形態における取付凹部について説明する。図４は、本実施形態における光ピックアップ装置の一部を示す断面図である。図４では、図３におけるＺ１−Ｚ２断面から−Ｙ方向に向かってみた光ピックアップ装置の一部を示されている。図４では、説明の便宜上、ハウジング２の底板２１の一部、ストッパ２１１、２１２、メインシャフト７１の一部、コリメートレンズホルダ７のホルダ支持部材７４、スプリング保持部材６が示されている。
【００３８】
取付凹部２５（図３）は、コリメートレンズホルダ７及び移動装置８をハウジング２に取り付けるための窪みである。取付凹部２５における底板２１には、ストッパ２１１、２１２（図４）が設けられている。
【００３９】
ストッパ２１１、２１２は、コリメートレンズホルダ７の移動を規制するための突起である。尚、ストッパ２１１、２１２については後述する。
【００４０】
＝＝＝コリメートレンズホルダ、メインシャフト、サブシャフト＝＝＝
以下、図３、図５及び図６を参照して、本実施形態におけるコリメートレンズホルダ、メインシャフト及びサブシャフトについて説明する。図５は、本実施形態における移動装置とコリメートレンズホルダとを示す斜視図である。図６は、本実施形態における移動装置とコリメートレンズホルダを示す平面図である。尚、リードスクリュ８３の一部、駆動モータ８３３、軸受け８３２は見えない状態となっているが、説明の便宜上、点線で示されている。
【００４１】
コリメートレンズホルダ７は、コリメートレンズ１６を保持する例えば樹脂製のホルダである。コリメートレンズホルダ７は、例えば金型を用いてトランスファーモールド、インジェクションモールドなどにより一体的に成型されるものとする。コリメートレンズホルダ７は、レンズ保持部材７３、ホルダ支持部材７４、スプリング保持部材６（突出片）を有する。
【００４２】
レンズ保持部材７３は、コリメートレンズ１６を保持するための例えば略矩形の薄板形状を呈する部材である。レンズ保持部材７３は、コリメートレンズ１６の光軸方向がトラッキング方向（Ｘ軸）に沿うようにコリメートレンズ１６を保持する。尚、コリメートレンズ１６の光軸方向とは、例えば、コリメートレンズ１６におけるレーザ光が透過する２面の曲率中心を結ぶ直線の延在する方向を示す。又、コリメートレン１６の光軸方向は、例えば、コリメートレンズ１６の中心を透過するレーザ光に沿っている直線のこと示す。つまり、コリメートレンズ１６の光軸方向は、Ｘ軸に対して平行となっている。
【００４３】
更に、レンズ保持部材７３は、サブシャフト７２を支持する軸受７３１を有する。尚、サブシャフト７２については後述する。
【００４４】
ホルダ支持部材７４は、レンズ保持部材７３をトラッキング方向に沿って移動可能に支持するための部材である。ホルダ支持部材７４は、例えば、トラッキング方向において延びた形状を呈する。ホルダ支持部材７４は、レンズ保持部材７３における、軸受け７３１が設けられている側（−Ｙ）とは反対側（＋Ｙ）の端部に設けられる。ホルダ支持部材７４は、孔７４２、溝７４４、挿通孔７４１、挿通孔７４３（図７）を有する。
【００４５】
孔７４２は、例えば、コリメートレンズホルダ７を軽量化するための孔である。挿通孔７４１、７４３は、メインシャフト７１が挿通される孔である。溝７４４は、スプリング８５（バネ部材）（図８）の製造誤差を考慮して形成される窪みである。溝７４４は、ホルダ支持部材７４におけるスプリング保持部材６が設けられている側（＋Ｙ）の側面７４Ｂに設けられる。尚、溝７４４、スプリング８５については後述する。
【００４６】
スプリング保持部材６は、コリメートレンズホルダ７を移動させるためのスプリング８５を保持する部材である。スプリング保持部材６は、ホルダ支持部材７４におけるレンズ保持部材７３側（−Ｙ）とは反対側（＋Ｙ）に向かって突出した形状を呈する。尚、スプリング保持部材６については後述する。
【００４７】
メインシャフト７１は、コリメートレンズホルダ７をコリメートレンズ１６の光軸方向（Ｘ軸）に移動可能に支持する棒部材である。メインシャフト７１は、コリメートレンズ１６の光軸方向に沿った状態で挿通孔７４１、７４３に挿通される。メインシャフト７１における一方の端部（＋Ｘ）及び他方の端部（−Ｘ）は夫々、ハウジング２に設けられている軸受け２４２（図３）、軸受け２４１に対して例えば接着剤で固定される。
【００４８】
サブシャフト７２は、メインシャフト７１とともに、コリメートレンズホルダ７をコリメートレンズ１６の光軸方向に移動可能に支持する棒部材である。サブシャフト７２にはレンズ保持部材７３の軸受け７３１が取り付けられる。サブシャフト７２における一方の端部（＋Ｘ）及び他方の端部（−Ｘ）は夫々、ハウジング２に設けられている軸受け２２２、軸受け２２１に対して例えば接着剤で固定される。尚、サブシャフト７２及びメインシャフト７１は、コリメートレンズホルダ７がＸ軸に沿って移動できるように、互いに平行になるように固定されているものとする。
【００４９】
＝＝＝ストッパ＝＝＝
以下、図３及び図４を参照して、本実施形態におけるストッパについて説明する。
【００５０】
ストッパ２１１、２１２（図４）は、コリメートレンズホルダ７の移動を規制するための突起である。
【００５１】
ストッパ２１２は、コリメートレンズホルダ７が一方側（＋Ｘ）から他方側（−Ｘ）に移動するのを規制する。ストッパ２１２は、例えば、コリメートレンズホルダ７が一方側から他方側に向かって移動したときにホルダ支持部材７４におけるストッパ２１２側の端部（−Ｘ）が当接するように、フォーカス方向（Ｚ軸）におけるメインシャフト７１の下側（−Ｚ）に設けられる。ストッパ２１２は、フォーカス方向における上側（＋Ｚ）に向かって底板２１１から突出している。ストッパ２１２は、トラッキング方向（Ｘ軸）におけるストッパ２１１とストッパ２１２との間にホルダ支持部材７４が設けられるように、例えばメインシャフト７１の略中央よりも回転軸５０側（＋Ｘ）とは反対側（−Ｘ）に設けられる。
【００５２】
ストッパ２１１は、コリメートレンズホルダ７が他方側から一方側に移動するのを規制する。ストッパ２１１は、例えば、コリメートレンズホルダ７が他方側から一方側に向かって移動したときにホルダ支持部材７４におけるストッパ２１１側の端部（＋Ｘ）が当接するように、フォーカス方向におけるメインシャフト７１の下側に設けられる。ストッパ２１１は、フォーカス方向における上側に向かって底板２１１から突出している。ストッパ２１１は、トラッキング方向におけるストッパ２１１とストッパ２１２との間にホルダ支持部材７４が設けられるように、例えばメインシャフト７１の略中央よりも回転軸５０側に設けられる。
【００５３】
又、トラッキング方向（Ｘ軸）におけるストッパ２１１とストッパ２１２との間の距離Ｄ１は、コリメートレンズ１６の光軸方向（Ｘ軸）に沿ってコリメートレンズ１６を移動させる距離に応じて定められる。距離Ｄ１は、光ディスク５の信号記録面に対してレーザ光を確実に集光できるようにコリメートレンズ１６を移動可能とする距離に設定される。
【００５４】
尚、ホルダ支持部材７４がストッパ２１１に当接したときのコリメートレンズ１６の位置が、ホームポジションである。ホームポジションとは、コリメートレンズ１６の光軸方向に沿ってコリメートレンズ１６を移動させる際の基準となる位置である。
【００５５】
＝＝＝移動装置＝＝＝
以下、図３、図５及び図６を参照して、本実施形態における移動装置について説明する。  移動装置８は、コリメートレンズ１６の光軸方向（Ｘ軸）に沿ってコリメートレンズホルダ７を移動させる装置である。移動装置８は、ケース８１、モータフレーム８２、リードスクリュ８３、駆動モータ８３３（図６）、スプリング８５を有する。
【００５６】
ケース８１は、リードスクリュ８３の一部及び駆動モータ８３３を収容する例えば金属製の略円柱形状を呈するケースである。ケース８１は、リードスクリュ８３の一部及び駆動モータ８３３を内部に収容できるように中空構造を呈する。
【００５７】
更に、ケース８１内には、リードスクリュ８３の一端（＋Ｘ）を軸支する軸受け８３２（図６）が設けられている。
【００５８】
更に、ケース８１には、端子８１１乃至８１４（図５）が設けられている。端子８１１乃至８１４は、例えば、リードスクリュ８３をＡ１方向又はＡ２方向に回転させるパルス信号を駆動モータ８３３に供給するための端子である。
【００５９】
モータフレーム８２は、ハウジング２に対して移動装置８を位置決めするための例えば金属製のフレームである。モータフレーム８２は、例えばトラッキング方向（Ｘ軸）に沿って延在している１枚の金属板を折り曲げ加工して一体的に形成される。
【００６０】
モータフレーム８２の一方側の端部（＋Ｘ）は、ケース８１に対してモータフレーム８２を固定できるように上側（＋Ｚ）に向かって折り曲げられている。モータフレーム８２の一方側の端部は、ケース８１における他方側（−Ｘ）の端部に対して、例えば接着剤等で固定される。
【００６１】
モータフレーム８２の他方側の端部（−Ｘ）は、リードスクリュ８３の他端（−Ｘ）を軸支できるように上側に向かって折り曲げられている。モータフレーム８２の他方側の端部には、リードスクリュ８３の他端を軸支するための軸受け８３１が設けられている。
【００６２】
リードスクリュ８３は、駆動モータ８３３によって回転される長尺形状を呈する金属製の棒部材である。リードスクリュ８３は、トラッキング方向（Ｘ軸）に沿って延在している。リードスクリュ８３の外周面には、螺旋状の螺子溝８３Ａが形成されている。尚、螺子溝８３Ａについては後述する。リードスクリュ８３は、Ａ１方向（図５）又はＡ２方向に回転するように、リードスクリュ８３一端及び他端が夫々、軸受８３２及び軸受８３１に軸支される。
【００６３】
スプリング８５は、リードスクリュ８３の回転力をリードスクリュ８３に沿った方向（Ｘ軸）の力に変換して、当該変換された力をコリメートレンズホルダ７に伝達する例えば金属製の線材である。スプリング８５は、スプリング保持部材６に保持される。スプリング８５の圧接部８５５（図７）は、リードスクリュ８３の回転力に基づいてコリメートレンズホルダ７がトラッキング方向に移動するように、リードスクリュ８３の螺子溝８３Ａに圧接される。そして、スプリング８５は、リードスクリュ８３の回転力に基づいて、コリメートレンズホルダ７をトラッキング方向に移動させる力を、スプリング保持部材６に伝達する。尚、スプリング８５については後述する。
【００６４】
駆動モータ８３３（図６）は、端子８１１乃至８１４を介して入力されたパルス信号に基づいて、リードスクリュ８３を回転させるための例えばステッピングモータである。モータ８３３は、リードスクリュ８３がＡ１方向に回転する回転力、又は、リードスクリュ８３がＡ２方向に回転する回転力を、リードスクリュ８３の一端（＋Ｘ）に伝達するものとする。尚、例えば、リードスクリュ８３が回転しているか否かは、駆動モータ８３３を制御するためのモータドライバ（不図示）等によって、検出されることとする。尚、例えば、モータドライバは、駆動モータ８３３における回転子（不図示）の回転に応じて発生する逆起電圧に基づいて、リードスクリュ８３が回転しているか否かを検出することとしてもよい。
【００６５】
＝＝＝スプリング＝＝＝
以下、図７及び図８を参照して、本実施形態におけるスプリングについて説明する。図７は、本実施形態における１／４波長板が取り付けられている側から見た状態のコリメートレンズホルダとスプリングとを示す分解斜視図である。図８は、本実施形態におけるコリメートレンズが取り付けられている側から見た状態のコリメートレンズホルダとスプリングとを示す分解斜視図である。
【００６６】
スプリング８５は、リードスクリュ８３（図５）の回転力をリードスクリュ８３に沿った方向（Ｘ軸）の力に変換して、当該変換された力をコリメートレンズホルダ７に伝達するための例えば圧縮コイルばねである。スプリング８５は、例えば１本の金属製の線材を曲げて形成される。尚、当該１本の金属製の線材を、スプリング８５用の線材とも称することとする。スプリング８５は、圧接部８５５に対して例えばタンジェンシャル方向（Ｙ軸）の弾性力が付与される形状を呈する。スプリング８５は、スプリング保持部材６に対して巻回部８５２（巻回部分）が巻回されて、スプリング保持部材６に対して装着される。スプリング８５は、直線部８５１（他端側の片）、直線部８５３、巻回部８５２、支持部８５４、支持部８５６、圧接部８５５を有する。尚、支持部８５４と、支持部８５６と、圧接部８５５とが、一端側の片に相当する。
【００６７】
直線部８５１は、スプリング保持部材６における一方の保持部材６１と他方の保持部材６２との間の溝６５（位置決め溝）に挿入されてスプリング８５の回転を防止するための、スプリング８５の一部である。尚、スプリング８５の回転とは、例えば、スプリング８５の略中央を通り、且つ、スプリング保持部材６が突出する方向（Ｙ軸）に沿った回転軸を中心にスプリング８５が回転することを示すものとする。つまり、直線部８５１は、スプリング８５の回転を防止して、リードスクリュ８３に対して圧接部８５５の位置決めを行う機能を有する。又、直線部８５１は、スプリング８５がスプリング保持部材６に対して予め定められた向きとは異なる向きに装着されるのを、突起９（防止部材）とともに防止する機能を有する。尚、直線部８５１及び、突起９については、後述する。
【００６８】
巻回部８５２は、スプリング保持部材６における一方の保持部材６１と他方の保持部材６２との双方に対して巻回される、スプリング８５の一部である。巻回部８５２は、一方の保持部材６１の外周面６１４（図８)及び他方の保持部材６２の外周面６２４（図７)に沿って巻回されるような形状を呈する。巻回部８５２は、他方の保持部材６２の外周面６２４に沿うように、直線部８５１の上側の端部（＋Ｚ）から−Ｘ側に向かって曲げられた後、外周面６２４及び外周面６１４に沿って巻回されるような形状を呈する。巻回部８５２は、スプリング保持部材６が突出する方向において、ホルダ支持部材７４から離れる方向（＋Ｙ）に向かって螺旋状に巻回される。巻回部８５２は、スプリング保持部材６の外周面に沿って例えば４周半巻回される。尚、スプリング保持部材６に巻回される巻回部８５２の曲率は、直線部８５１から巻回部８５２に連続する曲げ部８５７の曲率よりも小さくなっている。つまり、曲げ部８５７の曲がり具合は、巻回部８５２の曲がり具合よりもきつくなっている。
【００６９】
直線部８５３は、直線部８５１と共に、一方の保持部材６１と他方の保持部材６２との間の溝６５に挿入されてスプリング８５の回転を防止するための、スプリング８５の一部である。つまり、直線部８５３も、直線部８５１と同様に、スプリング８５の回転を防止して、リードスクリュ８３に対して圧接部８５５の位置決めを行う機能を有する。直線部８５３は、直線部８５１と略平行となるように、フォーカス方向に沿って延びている。直線部８５１は、巻回部８５２の手前側の端部（＋Ｙ）から上側に向かって延びている。尚、巻回部８５２から直線部８５３に連続する曲げ部８５８の曲率は、例えば、曲げ部８５７の曲率と略同一とされている。尚、例えば、曲げ部８５８の曲率が、曲げ部８５７の曲率と略同一でないこととしてもよい。
【００７０】
支持部８５４は、例えば巻回部８５２よりも手前側に圧接部８５５が突出するように圧接部８５５を支持する、スプリング８５の一部である。支持部８５４は、圧接部８５５がリードスクリュ８３の螺子溝８３Ａと対向するように圧接部８５５を支持する。支持部８５４は、直線部８５３の上側の端部から、スプリング保持部材６が突出する方向において手前側（＋Ｙ）に向かって曲げられた形状を呈する。支持部８５４は、ホルダ支持部材７４側（−Ｙ）からリードスクリュ側（＋Ｙ）に向かって延在している。更に、支持部８５４は、例えば支持部８５４とリードスクリュ８３とを上側から下側（−Ｚ）へ向かって見たときにリードスクリュ８３に対して支持部８５４が直角とならないように、斜めに傾けられた形状を呈する。尚、支持部８５４における斜めに傾けられた形状については後述する。
【００７１】
圧接部８５５は、リードスクリュ８３における螺子溝８６Ｂ（図１９）内の傾斜面８３Ｄ、８３Ｅに圧接される、スプリング８５の一部である。圧接部８５５は、螺子溝８６Ｂと対向するように、支持部８５４の手前側の端部から下側に向かって曲げられた形状を呈する。圧接部８５５は、例えば、フォーカス方向に沿って延びている。圧接部８５５は、例えば、タンジェンシャル方向における直線部８５１、８５３、巻回部８５２及び支持部８５４からの弾性力に基づいて、螺子溝８６Ｂ内の傾斜面８３Ｄ、８３Ｅに圧接される。つまり、圧接部８５５は、螺子溝８６Ｂに対して弾性力に基づいて付勢（弾性付勢）されている。圧接部８５５には、リードスクリュ８３が回転したときにコリメートレンズ１６の光軸方向に沿った方向（Ｘ軸）の力が伝達される。尚、圧接部８５５に対して伝達される力については後述する。尚、圧接部８５５の長さＤ４（図７）は、圧接部８５５の上側の端部と、下側の端部とが夫々、一方の突出部６１１、６１２と対向する長さに設定される。更に、圧接部８５５の長さＤ４は、圧接部８５５の上側の端部と、下側の端部とが夫々、他方の突出部６２１、６２２と対向する長さに設定される。
【００７２】
支持部８５６は、リードスクリュ８３から伝達される力に基づいて、例えばコリメートレンズホルダ７が移動する方向に圧接部８５５が変形するのを規制するための、スプリング８５の一部である。尚、コリメートレンズホルダ７が移動する方向に圧接部８５５が変形するとは、例えば、リードスクリュ８３から伝達される力に基づいて、圧接部８５５の上側の端部を支持している支持部８５４を中心に圧接部８５５回動したり、圧接部８５５の一部が折れ曲がったりすることを示すものとする。支持部８５６は、圧接部８５５の下側の端部から、支持部８５４と対向するようにホルダ支持部材７４側（−Ｙ）に向かって曲げられた形状を呈する。支持部８５６は、リードスクリュ８３側からホルダ支持部材７４側に向かって延在している。よって、例えば、スプリング８５の支持部８５４、圧接部８５５、支持部８５６は、略コ字形状に曲げられた形状を呈することとなる。
【００７３】
＝＝＝スプリング保持部材＝＝＝
以下、図７乃至図１０を参照して、本実施形態におけるスプリング保持部材について説明する。図９は、本実施形態におけるスプリングとスプリング保持部材とを示す正面図である。図１０は、本実施形態における光ディスクと対向する側とは反対側から見た状態のコリメートレンズホルダ示す斜視図である。
【００７４】
スプリング保持部材６は、スプリング８５を保持する部材である。スプリング保持部材６は、コリメートレンズホルダ７と例えば一体的に形成される。尚、スプリング保持部材６は、コリメートレンズホルダ７とは別体として形成され、コリメートレンズホルダ７に対して例えば接着剤等で接着されることとしてもよい。つまり、スプリング保持部材６は、コリメートレンズホルダ７に対して固定されている。スプリング保持部材６は、ホルダ支持部材７４におけるレンズ保持部材７３側（−Ｙ）とは反対側（＋Ｙ）に向かって突出した形状を呈する。つまり、スプリング保持部材６は、ホルダ支持部材７４側（−Ｙ）からリードスクリュ８３側（図６）（＋Ｙ）に向かって延在している。スプリング保持部材６は、タンジェンシャル方向（Ｙ軸）に沿って延びた円柱を、当該円柱の略中心軸を通り且つＹＺ平面に平行な平面で半割したような形状を呈する。つまり、スプリング保持部材６には、スプリング保持部材６の突出方向（Ｙ軸）が深さ方向となっている溝６５が設けられている。スプリング保持部材６におけるホルダ支持部材７４から遠い側の端部（＋Ｙ）は、リードスクリュ８３と接触しないようにリードスクリュ８３の外形を避けるように抉られた形状を呈する。スプリング保持部材６は、突起９（図１０）、溝６５を介して相互に隣り合う一方の保持部材６１、他方の保持部材６２を有する。
【００７５】
＜一方の保持部材＞
一方の保持部材６１は、メインシャフト７１（図４）に沿った方向（Ｘ軸）におけるストッパ２１１側（＋Ｘ）の、スプリング保持部材６の一部を形成する。一方の保持部材６１は、Ｘ軸方向において他方の保持部材６２と対向するように、他方の保持部材６２よりもストッパ２１１（図４）側（＋Ｘ）に設けられる。一方の保持部材６１は、メインシャフト７１と交差する方向（Ｙ軸）おいて、リードスクリュ８３（図６）に向かって突出している。
【００７６】
一方の保持部材６１は、一方の対向面６１Ａ、６１Ｂ、一方の突出部６１１、６１２、外周面６１４、爪６１３を有する。
【００７７】
一方の突出部６１１は、例えばコリメートレンズホルダ７が移動する方向に圧接部８５５が変形するのを規制するために、一方の突出部６１２とともに対となってスプリング８５を支持する、一方の保持部材６１の一部である。更に、一方の突出部６１１は、圧接部８５５の一方の対向面６１Ａ、６１Ｂ側への変形も規制する。尚、圧接部８５５の一方の対向面６１Ａ、６１Ｂ側への変形とは、例えば、リードスクリュ８３からの力に基づいて、直線部８５３に対して圧接部８５５が一方の対向面６１Ａ、６１Ｂ側（＋Ｘ）へ移動するようにスプリング８５が変形することを示すこととする。一方の突出部６１１は、一方の保持部材６１の手前側（＋Ｙ）の端部から、タンジェンシャル方向においてホルダ支持部材７４から離れる方向（＋Ｙ）へ突出している。一方の突出部６１１は、リードスクリュ８３の外形の周囲の一部をフォーカス方向（Ｚ軸）における上側（＋Ｚ）から覆うように、一方の保持部材６１の上部（＋Ｚ）に設けられる。尚、一方の突出部６１１は、リードスクリュ８３の外形に接触するのを防止するために、リードスクリュ８３の外形を避けるように一部６１１Ａ（図７）が傾斜している。
【００７８】
一方の突出部６１２は、例えばコリメートレンズホルダ７が移動する方向に圧接部８５５が変形するのを規制するために、一方の突出部６１１とともに対となってスプリング８５を支持する、一方の保持部材６１の一部である。更に、一方の突出部６１２は、圧接部８５５の一方の対向面６１Ａ、６１Ｂ側への変形も規制する。一方の突出部６１２は、一方の保持部材６１の手前側の端部から、タンジェンシャル方向においてホルダ支持部材７４から離れる方向へ突出している。一方の突出部６１２は、リードスクリュ８３の外形の周囲の一部をフォーカス方向における下側（−Ｚ）から覆うように、一方の保持部材６１の下部（−Ｚ）に設けられる。尚、一方の突出部６１２は、リードスクリュ８３の外形に接触するのを防止するために、リードスクリュ８３の外形を避けるように一部６１２Ａ（図７）が傾斜している。
【００７９】
一方の対向面６１Ａ、６１Ｂは夫々、他方の保持部材６２における他方の対向面６２Ａ、６２Ｂと対向する面である。一方の対向面６１Ａは、Ｘ軸方向において、スプリング８５の圧接部８５５の上側の端部及び支持部８５４と対向している。一方の対向面６１Ｂは、Ｘ軸方向において、スプリング８５の圧接部８５５の下側の端部及び支持部８５６と対向している。従って、例えば、圧接部８５５の一方の対向面６１Ａ、６１Ｂ側への変形は、圧接部８５５の上側の端部及び下側の端部が夫々、当該一方の対向面６１Ａ、６１Ｂに当接することによって規制されることとなる。
【００８０】
外周面６１４は、スプリング８５の巻回部８５２が沿わされるような曲率を有する。
【００８１】
爪６１３は、スプリング保持部材６に対してスプリング８５を固定するための部材である。爪６１３は、スプリング８５の直線部８５１が第１深さ位置まで挿入されたときに巻回部８５２が引っ掛かる位置に設けられる。尚、第１深さ位置については、後述する。爪６１３は、外周面６１４の一部に設けられる。爪６１３は、一方の保持部材６１の手前側（＋Ｙ）の縁に設けられる。爪６１３は、フォーカス方向における略中央に設けられる。
【００８２】
＜他方の保持部材＞
他方の保持部材６２は、メインシャフト７１（図４）に沿った方向（Ｘ軸）におけるストッパ２１１側（＋Ｘ）とは反対側（−Ｘ）の、スプリング保持部材６の一部を形成する。他方の保持部材６２は、Ｘ軸方向において一方の保持部材６１と対向するように設けられる。他方の保持部材６２は、メインシャフト７１と交差する方向おいて、リードスクリュ８３に向かって突出している。
【００８３】
他方の保持部材６２は、他方の対向面６２Ａ、６２Ｂ、他方の突出部６２１、６２２、外周面６２４、爪６２３、面取り部６２５、６２６（図９）を有する。
【００８４】
他方の突出部６２１は、例えばコリメートレンズホルダ７が移動する方向に圧接部８５５が変形するのを規制するために、他方の突出部６２２とともに対となってスプリング８５を支持する、他方の保持部材６２の一部である。更に、他方の突出部６２１は、圧接部８５５の他方の対向面６２Ａ、６２Ｂ側への変形も規制する。尚、圧接部８５５の他方の対向面６２Ａ、６２Ｂ側への変形とは、例えば、リードスクリュ８３からの力に基づいて、直線部８５３に対して圧接部８５５が他方の対向面６２Ａ、６２Ｂ側（−Ｘ）へ移動するようにスプリング８５が変形することを示すこととする。他方の突出部６２１は、他方の保持部材６２の手前側（＋Ｙ）の端部から、タンジェンシャル方向においてホルダ支持部材７４から離れる方向（＋Ｙ）へ突出している。他方の突出部６２１は、リードスクリュ８３の外形の周囲の一部をフォーカス方向（Ｚ軸）における上側（＋Ｚ）から覆うように、他方の保持部材６２の上部（＋Ｚ）に設けられる。尚、他方の突出部６２１は、リードスクリュ８３の外形に接触するのを防止するために、リードスクリュ８３の外形を避けるように一部６２１Ａ（図７）が傾斜している。
【００８５】
他方の突出部６２２は、例えばコリメートレンズホルダ７が移動する方向に圧接部８５５が変形するのを規制するために、他方の突出部６２１とともに対となってスプリング８５を支持する、他方の保持部材６２の一部である。更に、他方の突出部６２２は、圧接部８５５の他方の対向面６２Ａ、６２Ｂ側への変形も規制する。他方の突出部６２２は、他方の保持部材６２の手前側の端部から、タンジェンシャル方向においてホルダ支持部材７４から離れる方向へ突出している。他方の突出部６２２は、リードスクリュ８３の外形の周囲の一部をフォーカス方向における下側（−Ｚ）から覆うように、他方の保持部材６２の下部（−Ｚ）に設けられる。尚、他方の突出部６２２は、リードスクリュ８３の外形に接触するのを防止するために、リードスクリュ８３の外形を避けるように一部６２２Ａ（図７）が傾斜している。
【００８６】
他方の対向面６２Ａ、６２Ｂは夫々、一方の保持部材６１における一方の対向面６１Ａ、６１Ｂと対向する面である。他方の対向面６２Ａは、Ｘ軸方向において、スプリング８５の圧接部８５５の上側（＋Ｚ）の端部及び支持部８５４と対向している。他方の対向面６２Ｂは、Ｘ軸方向において、スプリング８５の圧接部８５５の下側（−Ｚ）の端部及び支持部８５６と対向している。従って、例えば、圧接部８５５の他方の対向面６２Ａ、６２Ｂ側への変形は、圧接部８５５の上側の端部及び下側の端部が夫々、当該他方の対向面６２Ａ、６２Ｂによって規制されることとなる。
【００８７】
外周面６２４は、スプリング８５の巻回部８５２が沿わされるような曲率を有する。
【００８８】
爪６２３は、スプリング保持部材６に対してスプリング８５を固定するための部材である。爪６２３は、スプリング８５の直線部８５１が第１深さ位置まで挿入されたときに巻回部８５２が引っ掛かる位置に設けられる。尚、第１深さ位置については、後述する。爪６２３は、外周面６２４の一部に設けられる。爪６２３は、他方の保持部材６２の手前側（＋Ｙ）の縁に設けられる。爪６２３は、フォーカス方向における略中央に設けられる。
【００８９】
面取り部６２５（図９）は、スプリング８５の曲げ部８５７が他方の保持部材６２の外形に略沿うように、他方の保持部材６２の上部（＋Ｚ）に設けられる。面取り部６２５は、曲げ部８５７の曲率に基づく第１曲率で曲げられている、外周面の一部である。面取り部６２５は、スプリング８５の巻き始めの位置に設けられている。
【００９０】
面取り部６２６は、スプリング８５の曲げ部８５８が他方の保持部材６２の外形に沿うように、他方の保持部材６２の下部（−Ｚ）に設けられる。面取り部６２６は、曲げ部８５８の曲率に基づく第２曲率で曲げられている、外周面の一部である。尚、第２曲率は、第１曲率と略同一であることとする。面取り部６２６は、スプリング８５の巻き始めの位置に設けられている。つまり、面取り部６２７は、一方の保持部材６１と他方の保持部材６２とが隣り合う方向（Ｘ軸）と交差する方向（Ｚ軸）において、面取り部６２５とは反対側に設けられている。
【００９１】
ここで、一方の保持部材６１及び他方の保持部材６２のうち、他方の保持部材６２に対してのみ面取り部６２５、６２６が設けられているので、一方の保持部材６１及び他方の保持部材６２は、スプリング保持部材６の略中央を通るＹＺ平面を基準に、非対称な形状となっている。
【００９２】
更に、他方の保持部材６２における他方の対向面６２Ａの面積は、面取り部６２５が設けられることにより、一方の保持部材６１における一方の対向面６１Ａの面積よりも小さくなっている。又、他方の保持部材６２における他方の対向面６２Ｂの面積は、面取り部６２６が設けられることにより、一方の保持部材６１における一方の対向面６１Ｂの面積よりも小さくなっている。つまり、面取り部６２５、６２６を他方の保持部材６２にのみ設けることにより、一方の保持部材６１における一方の対向面６１Ａの面積及び一方の対向面６１Ｂの面積を比較的大きくすることができることとなる。そして、例えば、スプリング８５の製造精度に応じて圧接部８５５の長さＤ４（図７）がばらついたとしても、圧接部８５５の上側の端部及び下側の端部を夫々、当該一方の対向面６１Ａ、６１Ｂに確実に当接させることができる。つまり、圧接部８５５の一方の対向面６１Ａ、６１Ｂ側への変形を、確実に規制できることとなる。
【００９３】
＝＝＝突起＝＝＝
以下、図１０乃至図１２を参照して、本実施形態における突起について説明する。図１１は、本実施形態における、光ディスクと対向する側から見た状態のコリメートレンズホルダを示す斜視図である。図１２は、本実施形態におけるコリメートレンズホルダを示す断面図である。尚、図１２では、図６におけるＡ１−Ａ２断面から−Ｘ方向に向かって見た状態のコリメートレンズホルダが示されている。
【００９４】
突起９は、スプリング８５がスプリング保持部材６に対して、予め定められた向きとは異なる向きに装着されるのを防止するための部材である。
【００９５】
突起９は、溝６５内に設けられる。突起９は、スプリング８５の直線部８５１が第１状態（図７）でスプリング保持部材６と対向した場合に直線部８５１が溝６５に挿入されるとき、直線部８５１と当接せず、且つ、直線部８５１が第２状態（図１４）でスプリング保持部材６と対向した場合に直線部８５１が溝６５に挿入されるとき、直線部８５１の一部と当接する位置に設けられる。尚、「スプリング８５の直線部８５１が第１状態でスプリング保持部材６と対向した場合に直線部８５１が溝６５に挿入される」ことを、「溝６５に対して直線部８５１が第１状態で挿入される」とも称することとする。又、「スプリング８５の直線部８５１が第２状態でスプリング保持部材６と対向した場合に直線部８５１が溝６５に挿入される」ことを、「溝６５に対して直線部８５１が第２状態で挿入される」とも称することとする。尚、第１状態及び第２状態については、後述する。
【００９６】
突起９は、例えば、光ディスク５（図３）と対向する側の端（−Ｚ）に設けられる。突起９は、ホルダ支持部材７４から離れる側（＋Ｙ）に向かって突出するように、溝６５の底にホルダ支持部材７４と一体的に形成される。尚、例えば、突起９は、ホルダ支持部材７４とは別体として形成され、ホルダ支持部材７４に対して接着剤等で固定されることとしてもよい。
【００９７】
突起９の当接面９１は、溝６５に対して直線部８５１が第２状態で挿入されたとき、直線部８５１と確実に当接するように例えば平坦とされている。
【００９８】
突起９の突出する方向（Ｙ軸）における長さＤ６（図１２）は、溝６５に対して直線部８５１が第２状態で挿入されたとき、スプリング保持部材６に対するスプリング８５の装着が防止されるよう長さとされる。突起９の長さＤ６は、溝６５に対して直線部８５１が第２状態で挿入される場合に、例えばスプリング８５の直線部８５３、支持部８５４、８５６、圧接部８５５が溝６５から露出するような長さとされる。
【００９９】
＝＝＝直線部＝＝＝
以下、図７、図１３乃至図１５を参照して、本実施形態における直線部について説明する。図１３は、本実施形態におけるスプリングが装着された状態のコリメートレンズホルダを示す断面図である。尚、図１３では、図６におけるＡ１−Ａ２断面から−Ｘ方向に向かって見た状態のコリメートレンズホルダとスプリングとが示されている。図１４は、本実施形態におけるコリメートレンズホルダとスプリングとを示す分解斜視図である。尚、図１４では、直線部８５１が第２状態でスプリング保持部材６と対向した状態のスプリング８５とコリメートレンズホルダ７とが示されている。図１５は、本実施形態におけるスプリングとコリメートレンズホルダとを示す断面図である。尚、図１５では、図６におけるＡ１−Ａ２断面から−Ｘ方向に向かって見た状態のコリメートレンズホルダにおいて、溝６５に対して直線部８５１が第２状態で挿入されているときのスプリング８５とコリメートレンズホルダ７とが示されている。
【０１００】
直線部８５１は、スプリング８５がスプリング保持部材６に対して予め定められた向きとは異なる向きに装着されるのを防止するためのスプリング８５の一部である。直線部８５１は、巻回部８５２における直線部８５３が連続する側とは反対側の端部から連続して、溝６５の深さ方向（Ｙ軸）と交差する方向（Ｚ軸）に沿って延びている。直線部８５１は、例えば棒形状を呈する。
【０１０１】
直線部８５１の長さＤ９（図１３）は、溝６５に対して直線部８５１が第１状態で挿入されるときに直線部８５１が突起９と当接せず、且つ、溝６５に対して直線部８５１が第２状態で挿入されるときに直線部８５１の一部が突起９と当接するような長さとされている。直線部８５１の長さＤ９は、例えば、溝６５の深さ方向と交差する方向において、溝６５の一方の端（＋Ｚ）から溝６５の略中央まで長さよりも長くなるように設定さていれる。
【０１０２】
ここで、第１状態及び第２状態は夫々、スプリング８５の直線部８５１とスプリング保持部材６との相対的位置関係を示していることとする。第１状態は、直線部８５１と突起９とが当接しないように、溝８５に対して直線部８５１を挿入可能な相対的位置関係を示している。つまり、第１状態は、直線部８５１における巻回部８５２から連続する側とは反対側の端部が光ディスク５（図３）側（−Ｚ）に向けられた状態の相対的位置関係を示している。第２状態は、溝８５に対して直線部８５１が挿入されたときに、直線部８５１と突起９とが当接するような相対的位置関係を示している。つまり、第２状態は、直線部８５１における巻回部８５２から連続する側とは反対側の端部が光ディスク５側とは反対側（＋Ｚ）に向けられた状態の相対的位置関係を示している。従って、第２状態におけるスプリング８５の直線部８５１（図１４）は、スプリング８５の略中心を通り、且つ、スプリング保持部材６が突出する方向（Ｙ軸）に沿った軸を基準に、第１状態におけるスプリング８５の直線部８５１（図７）を１８０度回転させたスプリング８５の直線部８５１に相当する。
【０１０３】
例えば、溝６５に対して直線部８５１が第１状態で挿入されるとき、直線部８５１は、溝６５の深さ方向と交差する方向において、対向面６１７、６２７（図１１）と側面７４Ｂとの間の距離Ｄ７（図１２）だけ挿入されることとなる。この、溝６５に対して直線部８５１が第１状態で挿入されたときの直線部８５１の位置が、第１深さ位置である。
【０１０４】
又、例えば、溝６５に対して直線部８５１が第２状態で挿入されるとき、直線部８５１は、溝６５内において突起９の当接面９１と当接することとなる。そして、直線部８５１は、溝６５の深さ方向と交差する方向において対向面６１７、６２７と突起９の当接面９１との間の距離Ｄ８だけ挿入されることとなる。この、溝６５に対して直線部８５１が第２状態で挿入されたときの直線部８５１の位置が、第２深さ位置である。尚、距離Ｄ８は、前述した突起９の長さＤ６に基づく長さだけ距離Ｄ７よりも短くされている。つまり、第２深さ位置は、スプリング保持部材６が突出する方向（Ｙ軸）において、第１深さ位置よりも浅い位置となっている。
【０１０５】
従って、直線部８５１は、直線部８５１が第１状態でスプリング保持部材６と対向すると、溝６５の第１深さ位置まで挿入され、直線部８５１が第２状態でスプリング保持部材６と対向すると、溝６５の第１深さ位置よりも浅い第２深さ位置までしか挿入されない長さＤ９を有していることとなる。
【０１０６】
＝＝＝スプリングにおける支持部の傾斜＝＝＝
以下、図１６乃至図１９を参照して、本実施形態におけるスプリングの支持部の傾斜について説明する。
【０１０７】
図１６は、本実施形態における移動装置の一部とコリメートレンズホルダの一部とを示す平面図である。尚、リードスクリュ８３の一部及びホルダ支持部材７４の一部は、説明の便宜上、省略されている。圧接部８５５は見えない状態となっているが、説明の便宜上、点線で示される。図１７は、本実施形態におけるリードスクリュとスプリングとを示す平面図である。尚、リードスクリュ８３の長手方向に対して直交する線Ｅ１が、説明の便宜上、点線で示されている。リードスクリュ８３の一部は、説明の便宜上、省略されている。図１８は、本実施形態におけるスプリングが装着された状態のコリメートレンズホルダを示す斜視図である。図１９は、本実施形態におけるリードスクリュの一部とスプリングの一部とを示す平面図である。尚、支持部８５４及び圧接部８５５は夫々、説明の便宜上、点線、実線で示されている。螺子溝８６Ｂは、リードスクリュ８３の螺子溝８３Ａにおける、圧接部８５５が圧接されている螺子溝を示すものとする。螺子溝８６Ａ、８６Ｃ、８６Ｄは、リードスクリュ８３の螺子溝８３Ａにおける、圧接部８５５が圧接されていない螺子溝を示すものとする。
【０１０８】
支持部８５４は、スプリング保持部材６に対してスプリング８５が装着されたとき、＋Ｚ方向から−Ｚ方向に向かって見た際に、スプリング保持部材６が突出する方向（Ｙ軸）において、螺子溝８３Ａと略平行となるように傾斜している。支持部８５４は、スプリング保持部材６に対してスプリング８５が装着されたとき、リードスクリュ８３の長手方向（Ｘ軸）における一方側（−Ｘ）から他方側（＋Ｘ）に向かって傾斜している。つまり、支持部８５４は、リードスクリュ８３の長手方向に対して圧接部８５５が螺子溝８３Ａに沿うように傾斜している。そして、支持部８５４は、ホルダ支持部材７４からリードスクリュ８３側に向かう方向が、支持部８５４がリードスクリュ８３と直交する方向（Ｙ軸）から、ホームポジション側であるストッパ２１１側（＋Ｘ）に傾斜するように配置されている。
【０１０９】
リードスクリュ８３と直交するＹ軸に対する支持部８５４の角度θ（図１７）（以下、「支持部８５４の傾斜角度θ」とも称する）は、コリメートレンズホルダ７のホルダ支持部材７４（図４）がストッパ２１１に当接したときに、傾斜面８３Ｄ（図１９）から付与される力に基づいて圧接部８５５（図１８）が螺子溝８６Ｂから他の螺子溝に移動しないような角度とされる。尚、圧接部８５５が他の螺子溝に移動するとは、例えば、圧接部８５５が圧接されている螺子溝８６Ｂから、螺子山８３Ｂ、８３Ｃを越えて、例えば他の螺子溝８６Ａ、８６Ｃ、８６Ｄに移動して、当該移動先の螺子溝に圧接されることを示すこととする。つまり、支持部８５４の傾斜角度θは、ホルダ支持部材７４がストッパ２１１に当接したときに、傾斜面８３Ｄから付与される力に基づいて、例えば圧接部８５５が螺子山８３Ｂを越えるようにホルダ支持部材７４側（−Ｙ）に移動しないような角度に設定される。支持部８５４の傾斜角度θは、例えば、実験等に基づいて定められる。支持部８５４の傾斜角度θは、例えば、略５度〜略７度とされることとしてもよい。
【０１１０】
＝＝＝スプリング保持部材に対するスプリングの装着＝＝＝
以下、図７、図９、図１３乃至図１５、図１８を参照して、本実施形態におけるスプリング保持部材に対するスプリングの装着について説明する。
【０１１１】
例えば、溝６５に対して直線部８５１が第１状態（図７）で挿入される場合と、溝６５に対して直線部８５１が第２状態（図１４）で挿入される場合と、に分けてスプリング保持部材６に対するスプリング８５の装着について説明する。
【０１１２】
＜溝６５に対して直線部８５１が第１状態で挿入される場合＞
直線部８５１は、スプリング保持部材６５の先端から溝６５に対して挿入される。直線部８５１は、突起９と当接せずに、第１深さ位置（図１３）まで挿入される。このとき、巻回部８５２は、スプリング保持部材６の外周面６１４及び外周面６２４の双方に対して共に巻回される（図９）。又、巻回部８５２における直線部８５１から遠い側（＋Ｙ）の一部は、爪６１３、６２３に引っ掛かる。当該爪６１３、６２３に対する巻回部８５２の引っ掛かりにより、スプリング８５が、スプリング保持部材６に対して固定されることとなる。つまり、スプリング８５がスプリング保持部材６に対して、予め定められた向きに装着されることとなる。そして、スプリング８５の支持部８５４は、螺子溝８３Ａと略平行となるように傾斜するように配置されることとなる。
【０１１３】
又、スプリング８５が、スプリング保持部材６に対して装着されて固定されたとき、直線部８５１の先端（−Ｚ）は、溝７４４内に収容されることとなる。尚、溝７４４の深さは、例えば、スプリング８５の製造ばらつきにより、タンジェンシャル方向（Ｙ軸）における圧接部８５５から離れる側（−Ｙ）へ傾斜した直線部８５１の下側の端部を収容できる深さとされる。溝７４４の深さは、例えば、スプリング８５を形成する線材の径に相当する深さとされているものとする。
【０１１４】
上述のように、スプリング保持部材６に対してスプリング８５が装着されたとき、圧接部８５５（図１８）の一部は、リードスクリュ８３の螺子溝８３Ａと対向するように溝６５の外に露出した状態となる。そして、圧接部８５の上側の端部（＋Ｚ）は、一方の対向面６１Ａと他方の対向面６２Ａとの間に配置されることとなる。圧接部８５５の下側の端部（−Ｚ）は、一方の対向面６１Ｂと他方の対向面６２Ｂとの間に配置されることとなる。そして、支持部８５４が一方の保持部材６１側に傾斜しているので、圧接部８５５の上側の端部、下側の端部は夫々、例えば、一方の対向面６１Ａ、６１Ｂに当接した状態となる。尚、例えば、圧接部８５５の上側の端部、下側の端部は夫々、例えば、一方の対向面６１Ａ、６１Ｂに対して当接せずに、一方の対向面６１Ａ、６１Ｂの近傍に配置されることとしてもよい。
【０１１５】
＜溝６５に対して直線部８５１が第２状態で挿入される場合＞
直線部８５１は、スプリング保持部材６５の先端から溝６５に対して挿入される。直線部８５１における巻回部８５２から連続する側の一部（図１５）は、第２深さ位置で突起９の当接面９１と当接する。このとき、直線部８５１は、第１深さ位置よりも浅い第２深さ位置までしか挿入されないこととなる。そして、巻回部８５２が爪６１３、６２３に引っ掛からず、スプリング８５が、スプリング保持部材６に対して固定されないこととなる。つまり、スプリング８５がスプリング保持部材６に対して、予め定められた向きとは異なる向きに装着されるのが防止されることとなる。
【０１１６】
又、このとき、例えばスプリング８５の直線部８５３、支持部８５４、８５６、圧接部８５５が溝６５から露出した状態となる。従って、例えば、このときのスプリング保持部材６とスプリング８５との相対的位置関係に基づいて、溝６５に対して直線部８５１が第２状態で挿入されたことを容易に判断することができる。
【０１１７】
＝＝＝光ピックアップ装置の組み立て＝＝＝
以下、図３、図５、図８を参照して、本実施形態における光ピックアップ装置の組み立てについて説明する。
【０１１８】
光ピックアップ装置１００の光学部品等が、ハウジング２に載置される。サブシャフト７２の両端が、軸受け２２２、軸受け２２１に対して例えば接着剤で固定される。
【０１１９】
コリメートレンズホルダ７のレンズ保持部材７３に、コリメートレンズ１６（図８）が取り付けられる。上述のように、スプリング保持部材６に対してスプリング８５が装着される。ホルダ支持部材７４の挿通孔７４１、７４３に対してメインシャフト７１（図５）が挿通される。その後、メインシャフト７１の両端が、軸受け２４１、２４２に対して例えば接着剤で固定される。よって、コリメートレンズホルダ７は、メインシャフト７１及びサブシャフト７２によって、コリメートレンズ１６の光軸方向（Ｘ軸）に沿って移動可能に支持されることとなる。
【０１２０】
スプリング保持部材６に保持されているスプリング８５の圧接部８５５が螺子溝８３Ａに圧接されるように、モータフレーム８２が例えばビス（不図示）等でハウジング２（図３）の底板２１に固定される。尚、リードスクリュ８３がメインシャフト７１及びサブシャフト７２に対して平行となるように、モータフレーム８２が固定されるものとする。
【０１２１】
＝＝＝コリメートレンズホルダの移動動作＝＝＝
以下、図３乃至図５、図１９を参照して、本実施形態におけるコリメートレンズホルダの移動動作について説明する。
【０１２２】
コリメートレンズホルダ７をホームポジションへ移動させる場合と、コリメートレンズホルダ７をホームポジションから離れた位置に移動させる場合とに分けて説明する。
【０１２３】
尚、ホームポジションは、例えば、コリメートレンズホルダ７の可動範囲における、対物レンズ１７１からの光学距離が最も短くなる位置であることとする。ホームポジションは、例えば、コリメートレンズホルダ７が一方側（−Ｘ）から他方側（＋Ｘ）に向かって移動したときに、ホルダ支持部材７４がストッパ２１１に当接してコリメートレンズホルダ７の移動が停止する位置である。
【０１２４】
＜コリメートレンズホルダ７をホームポジションへ移動させる場合＞
リードスクリュ８３をＡ２方向（図５）に回転させるパルス信号が、端子８１１乃至８１４を介して駆動モータ８３３に供給される。駆動モータ８３３は、当該パルス信号に基づいて、リードスクリュ８３がＡ２方向に回転する回転力を、リードスクリュ８３の一端に伝達する。リードスクリュ８３は、Ａ２方向に回転することとなる。尚、このとき、リードスクリュ８３が回転していることが、例えばモータドライバによって検出される。
【０１２５】
又、リードスクリュ８３のＡ２方向の回転によって、圧接部８５５（図１９）には、リードスクリュ８３の長手方向（Ｘ軸）におけるストッパ２１１側（＋Ｘ）への力が、傾斜面８３Ｄから伝達される。コリメートレンズホルダ７は、当該傾斜面８３Ｄから伝達される力に基づいて、一方側（−Ｘ）から他方側（＋Ｘ）に向かって移動することとなる。尚、圧接部８５５は、スプリング８５の支持部８５４等から付与されている弾性力によって傾斜面８３Ｄに圧接されているので、傾斜面８３Ｄからの力をコリメートレンズホルダ７に対して確実に伝達できることとなる。
【０１２６】
その後、コリメートレンズホルダ７のホルダ支持部材７４は、ストッパ２１１（図４）に当接してコリメートレンズホルダ７の移動がホームポジションで停止する。このとき、傾斜面８３Ｄ（図１９）が圧接部８５５に押し付けられて、リードスクリュ８３のＡ２方向への回転が停止することとなる。尚、上述したように、圧接部８５５が螺子溝８６Ｂから他の螺子溝に移動しないように支持部８５４が傾斜しているので、傾斜面８３Ｄは圧接部８５５に対して押し付けられて、リードスクリュ８３のＡ２方向への回転が停止することとなる。更に、圧接部８５５の一方の対向面６１Ａ、６１Ｂ側への変形が規制されるので、傾斜面８３Ｄは圧接部８５５に対して確実に押し付けられて、リードスクリュ８３のＡ２方向への回転が確実に停止することとなる。尚、このとき、リードスクリュ８３が回転していないことが、例えばモータドライバによって検出される。
【０１２７】
＜コリメートレンズホルダ７をホームポジションから離れた位置に移動させる場合＞
上述したように、コリメートレンズホルダ７がホームポジションに移動した後、
リードスクリュ８３をＡ１方向（図５）に回転させるパルス信号が、端子８１１乃至８１４を介して駆動モータ８３３に供給される。駆動モータ８３３は、当該パルス信号に基づいて、リードスクリュ８３がＡ１方向に回転する回転力を、リードスクリュ８３の一端に伝達する。リードスクリュ８３は、Ａ１方向に回転することとなる。尚、このとき、リードスクリュ８３が回転していることが、例えばモータドライバによって検出される。
【０１２８】
又、リードスクリュ８３のＡ１方向の回転によって、圧接部８５５（図１９）には、リードスクリュ８３の長手方向（Ｘ軸）におけるストッパ２１１側とは反対側（−Ｘ）への力が、傾斜面８３Ｃから伝達される。コリメートレンズホルダ７は、当該傾斜面８３Ｃから伝達される力に基づいて、他方側から一方側に向かって移動することとなる。
【０１２９】
前述したように、光ピックアップ装置１００は、コリメートレンズ１６、リードスクリュ８３、コリメートレンズホルダ７、スプリング８５、突起９を備えている。コリメートレンズ１６は、レーザ光源１１から出射されたレーザ光を光ディスク５の信号記録面に案内する。リードスクリュ８３は、螺子溝８３Ａを有する。コリメートレンズホルダ７は、リードスクリュ８３の方向へ突出するスプリング保持部材６を有し、コリメートレンズ１６を保持する。スプリング８５は、リードスクリュ８３の回転に応じて、コリメートレンズ１６を通過するレーザ光の光軸方向に沿ってコリメートレンズホルダ７を移動させる。スプリング８５の圧接部８５５、支持部８５４、８５６は、螺子溝８３Ａに弾性付勢される。スプリング８５の直線部８５１は、スプリング保持部材６の突出方向が深さ方向となっている溝６５の第１深さ位置まで挿入される。スプリング保持部材６に対して巻回部８５２が巻回されて、スプリング８５がスプリング保持部材６に装着される。突起９は、直線部８５１が溝６５の第１深さ位置まで挿入可能な第１状態とは異なる第２状態でスプリング保持部材６と対向すると、直線部８５１が溝６５の第１深さ位置まで挿入されることを防止する。以上より、溝６５に対する直線部８５１の挿入により、スプリング保持部材６に対してスプリング８５が装着されるように直線部８５１が案内される。従って、スプリング保持部材６に対するスプリング８５の装着が容易となる。更に、直線部８５１が第２状態でスプリング保持部材６に対向して、当該直線部８５１が溝８５１内の第１深さ位置まで挿入されることが、突起９によって防止される。従って、例えば、スプリング８５が予め決められた向きとは異なる向きでスプリング保持部材６に装着されるのを防止することができる。よって、光ピックアップ装置１００の製造時の歩留まり率を向上させることができる。又、光ピックアップ装置１００では、例えばリードスクリュ８３の回転力をコリメートレンズホルダ７が移動する方向の力に変換するナット部材（不図示）、当該ナット部材で変換された力がコリメートレンズホルダ７に伝達されるようにナット部材をレンズホルダに付勢するためのバネ等が不要となる。従って、光ピックアップ装置１００の部品点数を低減して、光ピックアップ装置１００の製造コストを低減させることができる。
【０１３０】
又、突起９は、直線部８５１が第２状態でスプリング保持部材６と対向すると、直線部８５１が第１深さ位置よりも浅い第２深さ位置で当接するように、溝６５の内部に形成されている。以上より、例えば、スプリング保持部材６に対するスプリング８５の装着時における、直線部８５１の深さ位置が第１深さ位置よりも浅い第２深さ位置であることに基づいて、スプリング８５が予め決められた向きで装着されていないことを判断することができる。従って、例えば、スプリング８５が予め決められた向きとは異なる向きでスプリング保持部材６に装着されるのを確実に防止して、光ピックアップ装置１００の製造時の歩留まり率を確実に向上させることができる。又、突起９が溝６５の内部に設けられている。よって、例えば、溝６５の外部に突起９を設けるためのスペースを確保する必要がないために、コンパクトな光ピックアップ装置１００を提供することができる。
【０１３１】
又、直線部８５１は、直線部８５１が第１状態でスプリング保持部材６に対向すると、溝６５の第１深さ位置まで挿入され、直線部８５１が第２状態でスプリング保持部材６に対向すると、溝６５の第２深さ位置までしか挿入されない長さＤ９を有する。以上より、例えば、スプリング保持部材６に対するスプリング８５の装着時における、直線部８５１の挿入される深さ位置に基づいて、スプリング８５が予め決められた向きで装着されているか否かを判断することができる。従って、例えば、スプリング８５が予め決められた向きとは異なる向きでスプリング保持部材６に装着されるのを確実に防止して、光ピックアップ装置１００の製造時の歩留まり率を確実に向上させることができる。
【０１３２】
又、支持部８５４は、リードスクリュ８３の長手方向に対して圧接部８５５が螺子溝８３Ａに沿うように傾斜している。以上より、例えば、圧接部８５５が光ピックアップ装置１００の製造時に螺子溝８３Ａから外れるのを防止して、光ピックアップ装置１００の製造時の歩留まり率を確実に向上させることができる。ここで、前述したように、スプリング８５が予め決められた向きとは異なる向きでスプリング保持部材６に装着されるのが防止されるので、例えば、支持部８５４の圧接部８５５側の端部（＋Ｙ）がストッパ２１２側（−Ｘ）に向けられるのを確実に防止することができる。従って、支持部８５４の圧接部８５５側の端部がホームポジション側であるストッパ２１１側（＋Ｘ）に向かうように、支持部８５４を傾斜させることができる。従って、ホームポジションを確実に検出可能な光ピックアップ装置１００を提供することができる。
【０１３３】
又、スプリング保持部材６は、直線部８５１が溝６５の第１深さ位置まで挿入されたとき、スプリング８５がスプリング保持部材６に固定されるように、スプリング８５の巻回部８５２に引っ掛かる爪６１３、６２３を有する。以上より、例えば、巻回部８５２に爪６１３、６２３が引っ掛かったか否かに基づいて、スプリング８５が予め決められた向きで装着されていないことを判断することができる。よって、例えば、スプリング８５が予め決められた向きとは異なる向きでスプリング保持部材６に装着されるのを確実に防止して、光ピックアップ装置１００の製造時の歩留まり率を確実に向上させることができる。又、直線部８５１が溝６５の第１深さ位置まで挿入されたとき、爪６１３、６２３によって、スプリング８５がスプリング保持部材６に固定される。従って、スプリング保持部材６に対してスプリング８５が装着された後、スプリング８５が外れるのを防止して、光ピックアップ装置１００の製造時の歩留まり率を確実に向上させることができる。
【０１３４】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１３５】
本実施形態においては、ホルダ支持部材７４（図４）がストッパ２１１に当接したときのコリメートレンズ１６の位置を、ホームポジションとしたが、これに限定されるものではない。例えば、ホルダ支持部材７４がストッパ２１２に当接したときのコリメートレンズ１６の位置を、ホームポジションとしてもよい。この場合、例えば、＋Ｘ側から−Ｘ側に向かって見てリードスクリュ８３（図１９）の外周面に沿って時計回りに回転したときに−Ｘ側に向かう螺旋状の螺子溝８３Ａとは逆の、＋Ｘ側から−Ｘ側に向かって見てリードスクリュ８３の外周面に沿って時計回りに回転したときに＋Ｘ側に向かう螺旋状の螺子溝を有するリードスクリュ（以下、「他のリードスクリュ」と称する）を設けることとする。更に、支持部８５４は、＋Ｚ方向から−Ｚ方向に向かって見た際に、他のリードスクリュの螺子溝と略平行となるようにスプリング８５を形成することとする。以上の構成により、例えば、ホルダ支持部材７４がストッパ２１２に当接したときに、他のリードスクリュの回転が停止するので、コリメートレンズホルダ７のホームポジションへの移動を確実に検出することができる。
【０１３６】
又、本実施形態においては、ストッパ２１１（図４）が、例えば、メインシャフト７１の下側に設けられる構成について説明したが、これに限定されるもではない。例えば、コリメートレンズホルダ７がホームポジションへ移動したときに、ホルダ支持部材７４と当接するように、ストッパ２１１が、メインシャフト７１における所定の位置に設けられることとしてもよい。又、例えば、コリメートレンズホルダ７の一部である軸受７３１（図５）と当接するように、ストッパ２１１が、サブシャフト７２の所定の位置に設けられることとしてもよい。つまり、ストッパ２１１は、コリメートレンズホルダ７がホームポジションへ移動したときに、コリメートレンズホルダ７の移動が停止するように、コリメートレンズホルダ７の一部に当接する位置に設けられることとすればよい。
【０１３７】
又、本実施形態においては、＋Ｚ方向から−Ｚ方向に向かって見た際に（図１６）、支持部８５４と螺子溝８３Ａとが略平行となるようにスプリング８５を形成する構成について説明したが、これに限定されるものではない。例えば、＋Ｚ方向から−Ｚ方向に向かって見た際に（図１６）、支持部８５４と螺子溝８３Ａとが略平行となるように、スプリング保持部材６を傾斜させたコリメートレンズホルダ７を形成することとしてもよい。
【０１３８】
又、本実施形態においては、移動装置８（図５）がモータフレーム８２を有する構成について説明したが、これに限定されるもではない。例えば、移動装置８は、モータフレーム８２を有さないこととしてもよい。この場合、例えば、リードスクリュ８３がメインシャフト７１と略平行となるように、リードスクリュ８３及びケース８１が、ハウジング２に対して直接位置決めされることしてもよい。
【０１３９】
又、サブシャフト７２は、例えば、金型等を用いて、ハウジング２と一体的に形成されることとしてもよい。
【符号の説明】
【０１４０】
５                  光ディスク
６                  スプリング保持部材
７                  コリメートレンズホルダ
８                  移動装置
９                  突起
１１                レーザ光源
１６                コリメートレンズ
６１                一方の保持部材
６２                他方の保持部材
６５                溝
８３                リードスクリュ
８５                スプリング
６１３、６２３      爪
８５１              直線部
８５４、８５６      支持部
８５５              圧接部
【図１】
2014089791.tif 000003
【図２】
2014089791.tif 000004
【図３】
2014089791.tif 000005
【図４】
2014089791.tif 000006
【図５】
2014089791.tif 000007
【図６】
2014089791.tif 000008
【図７】
2014089791.tif 000009
【図８】
2014089791.tif 000010
【図９】
2014089791.tif 000011
【図１０】
2014089791.tif 000012
【図１１】
2014089791.tif 000013
【図１２】
2014089791.tif 000014
【図１３】
2014089791.tif 000015
【図１４】
2014089791.tif 000016
【図１５】
2014089791.tif 000017
【図１６】
2014089791.tif 000018
【図１７】
2014089791.tif 000019
【図１８】
2014089791.tif 000020
【図１９】
2014089791.tif 000021